(57)【要約】【課題】複数のアンテナを切替えて１系統の受信回路で受信した受信信号をチューニングする構成において、アンテナ切替を行ってもＣ／Ｎが悪化することなく良好な受信を維持すること。【解決手段】受信装置１Ａは、アンテナ接続端子１１９Ａ，１１９Ｂと、アンテナ切替手段１１８と、受信品位検出手段１１４と、アンテナ切替制御手段１１７と、アンテナ切替手段により切替えられたアンテナにより受信された受信信号を増幅するとともに、前記受信品位検出手段により検出された受信品位に基づいて受信信号の増幅度を増減制御する増幅制御手段１１６と、この増減制御手段における増幅度の増減制御のための規定値１１６３を記憶する規定値記憶手段１１６２とを備える。増減制御手段１１６は、前記アンテナ切替手段により他のアンテナ接続端子に切替えられた際に、前記規定値記憶手段１１６２に記憶された規定値に基づいて前記受信信号を増減制御する。【選択図】図１
2007189629.tif 000002
【特許請求の範囲】
【請求項１】
アンテナを接続可能な複数のアンテナ接続端子と、
前記複数のアンテナ接続端子の中から一つのアンテナ接続端子を選択して受信するアンテナを切替えるアンテナ切替手段と、
前記アンテナ切替手段により切替えられたアンテナにより受信された受信信号の受信品位を検出する受信品位検出手段と、
前記受信品位検出手段により検出された受信品位に基づいて、前記アンテナ切替手段を制御するアンテナ切替制御手段と、
前記アンテナ切替手段により切替えられたアンテナにより受信された受信信号が増幅されるように制御するとともに、前記受信品位検出手段により検出された受信品位に基づいて前記受信信号の増幅度を増減制御する増減制御手段と、
前記増減制御手段における増幅度の増減制御のための規定値を記憶する規定値記憶手段と、を備え、
前記増減制御手段は、前記アンテナ切替手段により他のアンテナに切替えられた際に、前記規定値記憶手段に記憶された規定値に基づいて前記受信信号の増幅度を増減制御することを特徴とする受信装置。
【請求項２】
前記規定値記憶手段は、前記アンテナ接続端子に接続されたアンテナ毎に受信信号を増減制御するための規定値が記憶され、
前記増減制御手段は、
前記アンテナ切替手段により前記アンテナ接続端子が他のアンテナに切替えられた際に、前記規定値記憶手段に記憶された規定値のうち、前記他のアンテナに対応する規定値に基づいて前記受信信号の増幅度を増減制御することを特徴とする請求項１に記載の受信装置。
【請求項３】
アンテナを接続可能な複数のアンテナ接続端子と、
前記複数のアンテナ接続端子の中から一つのアンテナ接続端子を選択して受信するアンテナを切替えるアンテナ切替手段と、
前記アンテナ切替手段により切替えられたアンテナにより受信された受信信号の受信品位を検出する受信品位検出手段と、
前記受信品位検出手段により検出された受信品位に基づいて、前記アンテナ切替手段を制御するアンテナ切替制御手段と、
前記アンテナ切替手段により切替えられたアンテナにより受信された受信信号が増幅されるように制御するとともに、前記受信品位検出手段により検出された受信品位に基づいて前記受信信号の増幅度を増減制御する増減制御手段と、
前記増減制御手段における増幅度の増減制御のための制御電圧値をアンテナ毎に記憶する制御電圧記憶手段と、を備え、
前記増減制御手段は、
前記増幅度を増減制御した制御電圧値を受信時のアンテナに対応付けて前記制御電圧記憶手段に記憶させるとともに、前記アンテナ切替手段により他のアンテナに切替えられた際に、前記制御電圧記憶手段に記憶されている制御電圧値のうち前記他のアンテナに対応する前回増幅度を増減制御するために使用した最後の制御電圧値として前記受信された受信信号の増幅度を増減制御することを特徴とする受信装置。
【請求項４】
アンテナを接続可能な複数のアンテナ接続端子の中から一つのアンテナ接続端子を選択して受信するアンテナを切替えるアンテナ切替工程と、
前記アンテナ切替工程により切替えられたアンテナにより受信された受信信号の受信品位を検出する受信品位検出工程と、
前記受信品位検出工程により検出された受信品位に基づいて、前記アンテナ切替工程でのアンテナ切替制御するアンテナ切替制御工程と、
前記アンテナ切替工程により切替えられたアンテナにより受信された受信信号が増幅されるように制御するとともに、前記受信品位検出工程により検出された受信品位に基づいて前記受信信号の増幅度を増減制御する増減制御工程と、を含み、
前記増減制御工程は、前記アンテナ切替工程により他のアンテナに切替えられた際に、
前記増減制御工程において増幅度を増減制御させるための規定値を記憶するレジスタから
当該規定値を読み出し、当該規定値に基づいて前記受信信号の増幅度を増減制御する工程
であることを特徴とする受信方法。
【請求項５】
前記レジスタは、アンテナ毎に受信信号を増減制御するための規定値が記憶され、
前記増減制御工程は、
前記アンテナ切替工程により他のアンテナに切替えられた際に、前記レジスタに記憶された規定値のうち、前記他のアンテナに対応する規定値に基づいて前記受信信号の増幅度を増減制御する工程であることを特徴とする請求項４に記載の受信方法。
【請求項６】
アンテナを接続可能な複数のアンテナ接続端子の中から一つのアンテナ接続端子を選択して受信するアンテナを切替えるアンテナ切替工程と、
前記アンテナ切替工程により切替えられたアンテナにより受信された受信信号の受信品位を検出する受信品位検出工程と、
前記受信品位検出工程により検出された受信品位に基づいて、前記アンテナ切替工程でのアンテナ切替制御するアンテナ切替制御工程と、
前記アンテナ切替工程により切替えられたアンテナにより受信された受信信号が増幅されるように制御するとともに、前記受信品位検出工程により検出された受信品位に基づいて前記受信信号の増幅度を増減制御する増減制御工程と、
前記増減制御工程により増幅度を増減制御した制御電圧値を受信時のアンテナに対応付けてレジスタに記憶させる記憶工程と、を含み、
前記増減制御工程は、
前記アンテナ切替工程により他のアンテナに切替えられた際に、前記レジスタに記憶されている制御電圧値のうち前記他のアンテナに対応する前回増幅度を増減制御するために使用した最後の制御電圧値として前記受信された受信信号の増幅度を増減制御する工程であることを特徴とする受信方法。
【発明の詳細な説明】
【技術分野】
【０００１】
本発明は、受信装置及び受信方法に関する。
【背景技術】
【０００２】
デジタル放送の変調方式としてＯＦＤＭ（Orthogonal Frequency Division Multiplexing：直交周波数分割多重化方式）が用いられている。これは複数の電波（具体的には、映像や音声、データ放送等）が多重化して送信される変調方式である。ＯＦＤＭ方式は地上波デジタルテレビ放送の変調方式として用いられているが、近年、移動体通信の利用についても研究がなされている。
【０００３】
このようなＯＦＤＭ方式を採用するデジタル放送の信号を受信する技術として、複数のアンテナを受信装置に接続し、それぞれのアンテナによって受信された信号の受信電界強度に応じて受信信号を選択又は合成するダイバーシティ受信技術が知られている。
【０００４】
ダイバーシティ受信技術では、受信信号のレベルが低下した場合、アンテナを切替えることにより受信信号のレベルの低下を回避する技術が知られている。例えば、受信したサブキャリア（複数の搬送波）の振幅（受信電界強度）を測定した後、受信電界強度の低いサブキャリアの数が閾値を超えた時にアンテナを切替えることにより、受信信号のレベルの低下を回避する技術が開示されている（特許文献１参照）。
【特許文献１】特開２００５−２３６６６６号公報
【発明の開示】
【発明が解決しようとする課題】
【０００５】
しかしながら、上述したダイバーシティ受信技術の場合、受信帯域と同じ帯域にノイズが発生している場合は、アンテナで受信した受信信号とノイズ信号とが加算され、そのアンテナの受信電界強度は大きくなる。そして、受信電界強度の大きい、ノイズ信号を含む受信信号が選択され、又は合成によって得られることとなる。このように、複数のアンテナによる単純な受信電界強度の比較では、逆に受信品位（Ｃ／Ｎ）が悪化する場合があった。
【０００６】
また、受信品位が悪化した場合に、受信品位を改善する技術として、受信品位に基づいて受信していたアンテナから別のアンテナへの切替え、即ちアンテナ切替制御を行う技術が考えられる。
【０００７】
上述の技術は、１つのチューナーに対し、複数のアンテナを備え、受信品位によりアンテナを切り替えることにより実現される。しかしながら、上記の構成では、アンテナとチューナーとの組み合わせによりアンテナ毎の最適なＡＧＣ（Automatic Gain Control：自動利得制御）回路の制御の状態が異なるおそれがある。このため、アンテナの切替時にアンテナ切替後のＡＧＣ回路の制御の最適化が行われるまで、最良の受信状態にならずにＣ／Ｎが悪化し受信状態の低下を招いてしまう可能性がある。
【０００８】
上記の問題は、複数のアンテナそれぞれにチューナーを接続する複数系統の構成であれば解決される。即ち、選択されているアンテナに対応したそれぞれのチューナーでＡＧＣ回路の制御を行えばよいからである。しかしながら、複数のアンテナそれぞれにチューナーを接続する構成では、コストが増加する問題がある。
【０００９】
本発明の課題は、複数のアンテナを切替えて１系統の受信回路で受信した受信信号をチューニングする構成において、アンテナ切替を行ってもＣ／Ｎが悪化することなく良好な受信を維持することを可能とすることにある。
【課題を解決するための手段】
【００１０】
以上の課題を解決するために、請求項１に記載の発明の受信装置は、
アンテナを接続可能な複数のアンテナ接続端子（例えば、図１のアンテナ接続端子１１９Ａ，１１９Ｂ）と、
前記複数のアンテナ接続端子の中から一つのアンテナ接続端子を選択して受信するアンテナを切替える切替手段（例えば、図１のアンテナ切替回路１１８）と、
前記アンテナ切替回路により切替えられたアンテナにより受信された受信信号の受信品位を検出する受信品位検出手段（例えば、図１の受信品器検出回路１１４）と、
前記受信品位検出手段により検出された受信品位に基づいて、前記アンテナ切替手段を制御するアンテナ切替制御手段（例えば、図１のアンテナ切替制御回路１１７）と、
前記アンテナ切替手段により切替えられたアンテナにより受信された受信信号が増幅されるにように制御するとともに、前記受信品位検出手段により検出された受信品位に基づいて前記受信信号の増幅度を増減制御する増減制御手段（例えば、図１のＡＧＣ電圧制御回路１１６）と、
前記増減制御手段における増幅度の増減制御のための規定値（例えば、図６の初期値１１６３）を記憶する規定値記憶手段（例えば、図６のレジスタ１１６２）と、
を備え、
前記増減制御手段は、前記アンテナ切替手段により他のアンテナに切替えられた際に、前記規定値記憶手段に記憶された規定値に基づいて前記受信信号の増幅度を増減制御することを特徴とする。
【００１１】
請求項２に記載の発明は、請求項１に記載の受信装置であって、
前記規定値記憶手段（例えば、図１０のレジスタ１１６２Ａ）は、前記アンテナ接続端子に接続されたアンテナ毎に受信信号を増減制御するための規定値（例えば、図１０のＡアンテナの初期値１１６３Ａ，Ｂアンテナの初期値１１６４Ａ）が記憶され、
前記増減制御手段は、
前記アンテナ切替手段により前記アンテナ接続端子が他のアンテナに切替えられた際に、前記規定値記憶手段に記憶された規定値のうち、前記他のアンテナに対応するアンテナの規定値に基づいて前記受信信号の増幅度を増減制御することを特徴とする。
【００１２】
請求項３に記載の発明は、
アンテナを接続可能な複数のアンテナ接続端子（例えば、図１のアンテナ接続端子１１９Ａ，１１９Ｂ）と、
前記複数のアンテナ接続端子の中から一つのアンテナ接続端子を選択して受信するアンテナを切替える切替手段（例えば、図１のアンテナ切替回路１１８）と、
前記アンテナ切替手段により切替えられたアンテナにより受信された受信信号の受信品位を検出する受信品位検出手段（例えば、図１の受信品位検出回路１１４）と、
前記受信品位検出手段により検出された受信品位に基づいて、前記アンテナ切替手段を制御するアンテナ切替制御手段（例えば、図１２のアンテナ切替制御回路１１７Ｂ）と、
前記アンテナ切替手段により切替えられたアンテナにより受信された受信信号が増幅されるように制御するとともに、前記受信品位検出手段により検出された受信品位に基づいて前記受信信号の増幅度を増減制御する増減制御手段（例えば、図１３のＡＧＣ電圧制御回路１１６Ｂ）と、
前記増減制御手段における増幅度の増減制御のための制御電圧値（例えば、図１３のＡアンテナの直前ＡＧＣ電圧１１６３Ｂ，Ｂアンテナの直前ＡＧＣ電圧１１６４Ｂ）をアンテナ毎に記憶する制御電圧記憶手段（例えば、図１３のレジスタ１１６２Ｂ）と、を備え、
前記増減制御手段は、
前記増幅度を増減制御した制御電圧値を受信時のアンテナに対応付けて前記制御電圧記憶手段に記憶させるとともに、前記アンテナ切替手段により他のアンテナに切替えられた際に、前記制御電圧記憶手段に記憶されている制御電圧値のうち前記他のアンテナに対応する前回増幅度を増減制御するために使用した最後の制御電圧値として前記受信された受信信号の増幅度を増減制御することを特徴とする。
【００１３】
請求項４に記載の受信方法は、
アンテナを接続可能な複数のアンテナ接続端子の中から一つのアンテナ接続端子を選択して受信するアンテナを切替えるアンテナ切替工程（例えば、図８のステップＳ１０５）と、
前記アンテナ切替工程により切替えられたアンテナにより受信された受信信号の受信品位を検出する受信品位検出工程（例えば、図８のステップＳ１０１）と、
前記受信品位検出工程により検出された受信品位に基づいて、前記アンテナ切替工程でのアンテナ切替制御するアンテナ切替制御工程（例えば、図８のステップＳ１０５）と、
前記アンテナ切替工程により切替えられたアンテナにより受信された受信信号が増幅されるように制御するとともに、前記受信品位検出工程により検出された受信品位に基づいて前記受信信号の増幅度を増減制御する増減制御工程（例えば、図８のステップＳ１１３）と、
を含み、
前記増減制御工程は、前記アンテナ切替工程により他のアンテナに切替えられた際に、前記増減制御工程において増幅度を増減制御させるための規定値を記憶するレジスタから当該規定値を読み出し（例えば、図８のステップＳ１１２）、当該規定値に基づいて前記受信信号の増幅度を増減制御する工程であることを特徴とする。
【００１４】
請求項５に記載の発明は、請求項４に記載の受信方法であって、
前記レジスタは、アンテナ毎に受信信号を増幅制御するための規定値が記憶され、
前記増減制御工程は、
前記アンテナ切替工程により他のアンテナに切替えられた際に、前記レジスタに記憶された規定値のうち前記他のアンテナに対応する規定値に基づいて前記受信信号の増幅度を増減制御する工程（例えば、図１１のステップＳ１６３）を含むことを特徴とする。
【００１５】
請求項６に記載の受信方法は、
アンテナを接続可能な複数のアンテナ接続端子の中から一つのアンテナ接続端子を選択して受信するアンテナを切替えるアンテナ切替工程（例えば、図１４のステップＳ２０６）と、
前記アンテナ切替工程により切替えられたアンテナにより受信された受信信号の受信品位を検出する受信品位検出工程（例えば、図１４のステップＳ２０２）と、
前記受信品位検出工程により検出された受信品位に基づいて、前記アンテナ切替工程でのアンテナ切替制御するアンテナ切替制御工程（例えば、図１４のステップＳ２０６）と、
前記アンテナ切替工程により切替えられたアンテナにより受信された受信信号が増幅されるように制御するとともに、前記受信品位検出工程により検出された受信品位に基づいて前記受信信号の増幅度を増減制御する増減制御工程（例えば、図１４のステップＳ２１５）と、
前記増減制御工程により増幅度を増減制御した制御電圧値を受信時のアンテナに対応付けてレジスタに記憶させる記憶工程（例えば、図１４のステップＳ２１２）と、
を含み、
前記増減制御工程は、
前記アンテナ切替工程により他のアンテナに切替えられた際に、前記レジスタに記憶されている制御電圧値のうち前記他のアンテナに対応する前回増幅度を増減制御する為に使用した最後の制御電圧値として前記受信された受信信号の増幅度を増減制御する工程（例えば、図１４のステップＳ２１５）が含まれることを特徴とする。
【発明の効果】
【００１６】
請求項１又は４に記載の発明によれば、アンテナ切替が発生した場合、規定値記憶手段、及び規定値を記憶するレジスタに記憶されている規定値に基づいて受信信号の増幅度の増減制御が行われる。したがって、増減制御手段、及び増減制御工程における受信信号の増減制御が、高速に最適状態へ移行が可能となり、これによりＣ／Ｎの悪化を防いで良好な受信を維持することができ、受信装置の受信性能特性を向上させることができる。
【００１７】
請求項２又は５に記載の発明によれば、アンテナ切替が発生した場合、規定値記憶手段、及び規定値を記憶するレジスタに記憶されているアンテナ毎の規定値に基づいて受信信号の増幅度の増減制御が行われる。したがって、増減制御手段、及び増減制御工程における受信信号の増減制御が、高速に最適状態へ移行が可能となり、これによりＣ／Ｎの悪化を防いで良好な受信を維持することができ、受信装置の受信性能特性を向上させることができる。
【００１８】
請求項３又は６に記載の発明によれば、アンテナ切替が発生した場合、制御電圧記憶手段、及びレジスタに記憶されている前回増幅度を増減制御する為に使用した最後の制御電圧値として受信信号の増幅度の増減制御が行われる。したがって、増減制御手段、及び増減制御工程における受信信号の増減制御が、高速に最適状態へ移行が可能となり、これによりＣ／Ｎの悪化を防いで良好な受信を維持することができ、受信装置の受信性能特性を向上させることができる。
【発明を実施するための最良の形態】
【００１９】
以下、添付図面を参照して本発明に係る第１〜第２の実施の形態を詳細に説明する。ただし、発明の範囲は、図示例に限定されない。
【００２０】
（第１の実施の形態）
図１〜図８を参照して、本発明に係る第１の実施の形態を説明する。先ず、図１を参照して、本実施の形態の装置構成を説明する。図１に本実施の形態の地上波デジタルテレビ放送における受信装置１Ａを示す。
【００２１】
図１を参照して、本実施の形態の受信装置１Ａを説明する。受信装置１Ａは、受信回路１００と、外部アンテナ１２０と、を備えて構成される。また、受信回路１００は、チューナー部１０と、復調回路部１１と、を備えて構成される。
【００２２】
チューナー部１０は、ＬＮＡ（Low Noise Amplifier）回路１０１と、ＲＦ−ＡＧＣ（Radio Frequency−Auto Gain Control）回路１０２と、ＲＦ−ＢＰＦ（Radio Frequency−Band Pass Filter）回路１０３と、ＲＦミキサ１０４と、ＩＦ−ＢＰＦ（Intermediate Frequency−Band Pass Filter）回路１０５と、ＩＦ−ＡＧＣ回路１０６と、ＩＦミキサ１０７と、ＬＰＦ（Low Pass Filter）回路１０８と、を備えて構成され、例えば、半導体集積回路により形成される。
【００２３】
放送局から放送されたＯＦＤＭ信号は、外部アンテナ１２０により受信される。そして、ＬＮＡ回路１０１によって所定の増幅率で増幅される。増幅されたＯＦＤＭ信号は、ＲＦ−ＡＧＣ電圧に従ってＲＦ−ＡＧＣ回路１０２で増幅又は減衰される。このＲＦ−ＡＧＣ電圧は、ＲＦ−ＡＧＣ回路１０２の利得を制御する電圧信号であり、ＡＧＣ電圧制御回路１１６により生成される。
【００２４】
ＲＦ−ＡＧＣ回路１０２で増幅又は減衰されたＯＦＤＭ信号のうち、選択された放送局のチャネル帯域を中心とする周波数帯域幅のＯＦＤＭ信号がＲＦ−ＢＰＦ回路１０３により抽出される。抽出されたＯＦＤＭ信号は第１局部発信回路（図示略）から出力される局部発振信号と混合されることで、第１の周波数を中間周波数とする信号にＲＦミキサ１０４により変換される。
【００２５】
そして、ＲＦミキサ１０４から出力された信号から、選択された放送局のチャネル帯域に相当する信号がＩＦ−ＢＰＦ１０５によりにより抽出される。次いで、抽出された信号の利得が、ＩＦ−ＡＧＣ電圧に従ってＩＦ−ＡＧＣ回路１０６で増幅又は減衰される。このＩＦ−ＡＧＣ電圧は、ＩＦ−ＡＧＣ回路１０６の利得を制御する電圧信号であり、ＡＧＣ電圧制御回路１１６により生成される。
【００２６】
ＩＦ−ＡＧＣ回路１０６により増幅又は減衰された信号は、第２局部発振回路（図示略）から出力される局部発振回路と混合されることで、第１の周波数より低域周波数の信号である第２の周波数の信号にＩＦミキサ１０７により変換される。そして、ＬＰＦ回路１０８によりフィルタされた後、復調回路部１１へ出力される。
【００２７】
復調回路部１１は、ＡＤＣ（Analog Digital Converter）１０９と、ＦＦＴ（Fast Fourier Transform：高速フーリエ変換）１１０と、伝送路等価部１１１と、復調部１１２と、誤り訂正部１１３と、受信品位検出回路１１４と、ＡＧＣ電圧計算部１１５と、ＡＧＣ電圧制御回路１１６と、アンテナ切替制御回路１１７と、を備えて構成され、例えば、半導体集積回路により形成される。
【００２８】
チューナー部１０から出力された信号は、ＡＤＣ１０９によってアナログからデジタルに変換され、ＦＦＴ１１０によってフーリエ変換処理が行われる。ＦＦＴ１１０から出力された信号（周波数信号）は伝送路等価部１１１によって波形等価（振幅等価及び位相等価）処理が施され、更に復調部１１２によって復調処理が施される。復調部１１２から出力された信号は、誤り訂正部１１３によって誤り訂正処理が施され、地上波デジタルテレビ放送受信装置１Ａの外部へ出力される。
【００２９】
また、ＦＦＴ１１０から出力された信号（周波数信号）は受信品位検出回路１１４に入力され、当該信号の受信品位としてＣ／Ｎ（Carrier to Noise）値が計算される。Ｃ／Ｎ値はＳＰ信号（スキャッタードパイロット信号）、又は、データ信号等のＳＰ信号以外の信号を用いて計算される。
【００３０】
受信品位検出回路１１４によるＣ／Ｎの計算方法を説明する。
ここでＳＰ信号とは、地上波デジタルテレビ放送の伝送方式において規格化されている同期信号の一種であり、伝送路等価部１１１による波形等価処理に用いられる信号である。また、このＳＰ信号は、地上波デジタルテレビ放送の伝送信号中に分散して配置されている。
【００３１】
図２に、ＯＦＤＭシンボル内のＳＰ信号の配置パターンの一例を示す。同図において、黒丸はＳＰ信号を表し、白丸はデータ信号等のＳＰ信号以外の信号を表している。また、同図は、１セグメントが４３２キャリア（ｆ０〜ｆ４３１）からなる場合を示しており１２キャリア毎にＳＰ信号が配置されている。即ち、１シンボル当たり３６本のＳＰ信号が配置されている。
【００３２】
このＳＰ信号の配置は、周期的に変化するように定められている。従って、シンボルを指定することでＳＰ信号の配置位置が一意に定められる。同図では、４種類の配置パターンが順に表れるように定められている。
【００３３】
ＳＰ信号は、例えば、図３に示すコンスタレーションのように、伝送路の状態等によりその位相や振幅が変化する。同図（ａ）は、ＢＰＳＫ（Bi−Phase Shift Keying）信号を送信する際の本来のＳＰ信号（以下、「基準ＳＰ信号」という）の信号点配置を示し、同図（ｂ）は、ＢＰＳＫ信号を受信する際のＳＰ信号（以下、「受信ＳＰ信号」という）の信号点配置を示している。同図（ｂ）に示す受信ＳＰ信号の位置が、同図（ａ）に示す基準ＳＰ信号の位置に対して、その位相が「θ」変化している。
【００３４】
受信品位検出回路１１４は、ＦＦＴ１１０から入力された周波数信号中のＳＰ信号（受信ＳＰ信号）と、予め定められた基準ＳＰ信号との差分を算出する。具体的には、図３において、基準ＳＰ信号の位置を（Ｘ，Ｙ）とし、受信ＳＰ信号の位置を（ｘ，ｙ）とすると、１つのＳＰ信号についての搬送波電力に対するノイズの電力の比は次式（１）で与えられる。
【数１】
2007189629.tif 000003
【００３５】
そして、次式（２）に示すように、１シンボル中の各ＳＰ信号についての電力比の平均を、「ＳＰ信号の誤差」として算出し、この算出された誤差をＡＧＣ電圧計算部１１５及びアンテナ切替制御回路１１７へＣ／Ｎとみなして出力する。
【数２】
2007189629.tif 000004
【００３６】
また、変調方式としてＱＰＳＫ（Quadrature Phase Shift Keying）方式が用いられる場合のコンスタレーションを図４に示す。同図（ａ）は基準データ信号の信号点配置を示している。同図（ｂ）は基準データ信号の位置に対して、位相が変化した場合の受信データ信号の位置を示している。基準データ信号の位置は（１，１）、（１，−１）、（−１，１）、（−１，−１）の４種類となる。そして、次式（３）に示すように、１シンボル中の各データ信号についての電力比の平均を、Ｃ／Ｎとして算出し、この算出されたＣ／ＮをＡＧＣ電圧計算部１１５及びアンテナ切替制御回路１１７へ出力する。
【数３】
2007189629.tif 000005
尚、上式（２），（３）において、「Ｎ」は１シンボル中のＳＰ信号の数（本数）を示す。
【００３７】
ＡＧＣ電圧計算部１１５は、ＲＦ−ＡＧＣ回路１０２，ＩＦ−ＡＧＣ回路１０６のＡＧＣ電圧の増減値を決定する。ＡＧＣ電圧計算部１１５はマイコンやＤＳＰ（Digital Signal Processor）等で構成される。ここで、ＡＧＣ電圧とは、増幅度を制御するためにＡＧＣに印加する電圧のことである。
【００３８】
ＡＧＣ電圧計算部１１５は、Ｃ／Ｎ値に基づいてＡＧＣ電圧を算出する。また、ＡＧＣ電圧はＣ／Ｎ値の入力毎に算出される。算出されたＡＧＣ電圧は信号Ｓ１としてＡＧＣ電圧制御回路１１６へ入力される。
【００３９】
図５はアンテナ切替制御回路１１７のブロック図である。同図に示すようにアンテナ切替制御回路１１７は比較器１１７１と、レジスタ１１７２と、制御部１１７３と、によって構成される。
【００４０】
比較器１１７１は受信品位検出回路１１４で算出された今回計算されたＣ／Ｎ値（今回Ｃ／Ｎ値）と前回計算されたＣ／Ｎ値（前回Ｃ／Ｎ値）とを比較する。レジスタ１１７２は前回Ｃ／Ｎ値を保存する。レジスタ１１７２に保存される前回Ｃ／Ｎ値は、制御部１１７３により信号Ｓ２が入力される毎に新しいＣ／Ｎ値に更新される。また、制御部１１７３は比較器１１７１から入力される信号Ｓ２に基づいて、アンテナ切替回路１１８及びＡＧＣ電圧制御回路１１６へ信号Ｓ３及び信号Ｓ４をそれぞれ出力する。具体的な動作は後述する第１のアンテナ制御処理で説明する。
【００４１】
図６はＡＧＣ電圧制御回路１１６のブロック図である。同図に示すようにＡＧＣ電圧制御回路１１６は制御部１１６１と、レジスタ１１６２と、によって構成される。
【００４２】
制御部１１６１は、アンテナ切替制御回路１１７からアンテナ切替の信号Ｓ４を受信することによりＲＦ−ＡＧＣ回路１０２とＩＦ−ＡＧＣ回路１０６とに入力するＡＧＣ電圧を出力する。
【００４３】
レジスタ１１６２はＡＧＣ電圧の初期値１１６３を記憶する。ここで、ＡＧＣ電圧の初期値とは、少ないマージンで良好な受信を得ることができる値のことをいう。また、ＡＧＣ電圧の初期値は複数のアンテナに共通の固有の値である。ＡＧＣ電圧の初期値は、ＲＦ−ＡＧＣ回路１０２とＩＦ−ＡＧＣ回路１０６に印加される。また、具体的な動作は後述する第１のＡＧＣ制御処理で説明する。
【００４４】
アンテナ切替回路１１８は、信号Ｓ３に応じてアンテナ接続端子１１９Ａ，１１９Ｂを介して外部アンテナ１２０を選択する。即ち、外部アンテナ（Ａアンテナ）１２０Ａ，外部アンテナ（Ｂアンテナ）１２０Ｂの何れかを受信アンテナとして選択する。そして、選択したＡアンテナ１２０Ａ，Ｂアンテナ１２０Ｂのいずれかから出力される電気信号を、当該外部アンテナ１２０からの出力信号とする。
【００４５】
図７は受信品位検出回路１１４から出力されたＣ／Ｎ値と、信号Ｓ３及び信号Ｓ４のレベルを示したグラフである。縦軸はＣ／Ｎ値レベル、信号Ｓ３のレベル、信号Ｓ４のレベル、横軸は時間を示す。信号Ｓ３及びＳ４はアンテナ切替制御回路１１７の制御部１１７３により所定の時間間隔で出力される。
【００４６】
信号Ｓ３はアンテナ切替回路１１８へ入力される。信号Ｓ３の信号レベルが“Ｌ”の時、アンテナ切替回路１１８によりＡアンテナ１２０Ａへ切替えられる。また、信号Ｓ３の信号レベルが“Ｈ”の時、アンテナ切替回路１１８によりＢアンテナ１２０Ｂへ切替えられる。
【００４７】
信号Ｓ４はＡＧＣ電圧制御回路１１６へ入力される。アンテナ切替が発生した時、信号Ｓ４の信号レベルが“Ｈ”となる。また、アンテナ切替が発生しない時、信号Ｓ４の信号レベルが“Ｌ”となる。
【００４８】
図７を時間経過にしたがって説明する。受信装置１Ａの電源投入時（時間ｔ０）、信号Ｓ３及び信号Ｓ４のレベルは“Ｌ”である。このとき、アンテナ切替は行われずに、現在選択されているアンテナで受信が行われる。
【００４９】
次に時間ｔ１のとき、Ｃ／Ｎ値は時間ｔ１の時のＣ／Ｎ値より悪くなっているため、比較器１１７１から信号Ｓ２として“１”が出力される。そしてアンテナ切替制御回路１１７の制御部１１７３により信号Ｓ３のレベルが“Ｌ”から“Ｈ”へ切替えられる。また、信号Ｓ４のレベルが、“Ｌ”から所定時間“Ｈ”へ切替えられる。
【００５０】
続いて時間ｔ２の時、Ｃ／Ｎ値は時間ｔ１の時のＣ／Ｎ値より再び悪くなっているため、アンテナ切替制御回路１１７の制御部１１７３により信号Ｓ２として再度“１”が出力される。このとき、制御部１１７３により信号Ｓ３のレベルが“Ｈ”から“Ｌ”へ切替えられる。また、信号Ｓ４は信号レベルが“Ｈ”となる。以降、このような制御が繰り返される。
【００５１】
次いで、図８を参照して、受信装置１００の動作を説明する。図８に、第１のアンテナ制御処理及び第１のＡＧＣ制御処理の流れを示す。
【００５２】
図８を参照して、アンテナ切替制御回路１１７で実行される第１のアンテナ制御処理と、ＡＧＣ電圧制御回路１１６で実行される第１のＡＧＣ電圧制御処理と、を説明する。ここで、第１のアンテナ制御処理及び第１のＡＧＣ制御処理はＣＰＵで処理されるものとしても良いし、ハードウェアとして組み込まれたチップで処理されるものとしても良い。第１のアンテナ制御処理は、アンテナ切替制御回路１１７によりＡＧＣ電圧制御回路１１６へアンテナ切替情報を送信する処理である。また、第１のＡＧＣ電圧制御処理は、ＡＧＣ電圧制御回路１１６によりＡＧＣ電圧の初期値１１６３を読み出す処理である。
【００５３】
先ず、第１のアンテナ制御処理を説明する。予め、前回Ｃ／Ｎ値が比較器の初期値としてレジスタ１１７２に保存されているものとする。このとき、比較器の初期値は所定の値でもよい。
【００５４】
受信品位検出回路１１４によって算出された今回Ｃ／Ｎ値が、比較器１１７１と制御部１１７３に入力される（ステップＳ１０１）。そして、レジスタ１１７２に保存されている前回Ｃ／Ｎ値が比較器１１７１に入力される（ステップＳ１０２）。
【００５５】
次いで、比較器１１７１により今回Ｃ／Ｎ値が前回Ｃ／Ｎ値よりも悪化しているか否かが判断される（ステップＳ１０３）。そして、比較器１１７１より信号Ｓ２が出力される。今回Ｃ／Ｎ値が前回Ｃ／Ｎ値よりも悪化している場合（ステップＳ１０３；ＹＥＳ）、比較器１１７１により信号Ｓ２として“１”が出力される。この場合、後述するステップＳ１０４へ移行される。また、今回Ｃ／Ｎ値が前回Ｃ／Ｎ値よりも悪化していない場合（ステップＳ１０３；ＮＯ）、比較器１１７１により信号Ｓ２として“０”が出力される。この場合、後述するステップＳ１０６へ移行される。
【００５６】
そして、比較器１１７１により制御部１１７３に信号Ｓ２が出力される。信号Ｓ２が“１”の場合、制御部１１７３により信号Ｓ４がＡＧＣ電圧制御回路１１６へ送信される（ステップＳ１０４）。
【００５７】
そして、信号Ｓ２が“１”の場合、アンテナ切替のため制御部１１７３より信号Ｓ３がアンテナ切替回路１１８へ送信される（ステップＳ１０５）。また、今回Ｃ／Ｎ値が前回Ｃ／Ｎ値よりも悪化していない場合、アンテナ切替回路１１８によるアンテナ切替は行われない。この場合、現在受信しているアンテナで受信が継続される。
【００５８】
そして、今回Ｃ／Ｎ値が制御部１１７３によりレジスタ１１７２へ保存される（ステップＳ１０６）。ステップＳ１０６の実行後、制御部１１７３により制御を終了するか否かが判断される（ステップＳ１０７）。制御が終了されない場合（ステップＳ１０７；ＮＯ）、ステップＳ１０１へ移行される。制御が終了される場合（ステップＳ１０７；ＹＥＳ）、第１のアンテナ制御処理は終了する。
【００５９】
次いで、ＡＧＣ電圧制御回路１１６において実行される第１のＡＧＣ制御処理を説明する。この処理はアンテナ切替時のみに行われる。通常時は、Ｃ／Ｎ値が読み取られる毎にＡＧＣ制御が行われる。
【００６０】
先ず、アンテナ切替制御回路１１７からアクセスがあるか否かが判断される（ステップＳ１１１）。即ち、受信された信号Ｓ４のレベルが“Ｈ”であるか否かが判断される。信号Ｓ４のレベルが“Ｈ”でない場合（ステップＳ１１１；ＮＯ）、ステップＳ１１１へ移行される。
【００６１】
信号Ｓ４が“Ｈ”の場合（ステップＳ１１１；ＹＥＳ）、制御部１１６１によりＡＧＣ電圧制御回路１１６のレジスタ１１６２からＡＧＣ電圧の初期値１１６３が読み出される（ステップＳ１１２）。そして、ＡＧＣ電圧の初期値１１６３は、制御部１１６１によってＡＧＣ電圧としてＲＦ−ＡＧＣ回路１０２，ＩＦ−ＡＧＣ回路１０６へ出力される（ステップＳ１１３）。
【００６２】
ステップＳ１１３の実行後、制御部１１６１により制御を終了するか否かが判断される（ステップＳ１１４）。制御が終了されない場合（ステップＳ１１４；ＮＯ）、ステップＳ１１１へ移行される。制御が終了される場合（ステップＳ１１４；ＹＥＳ）、第１のＡＧＣ制御処理は終了する。
【００６３】
以上、本実施の形態によれば、アンテナ切替えが発生した場合、ＡＧＣ電圧制御回路１１６のレジスタ１１６２に記憶されているＡＧＣ電圧の初期値１１６３に基づいて受信信号の増幅度の増減制御が行われる。したがって、ＡＧＣ電圧制御回路１１６の最適状態への高速な移行が可能となり、これによりＣ／Ｎの悪化を防いで良好な受信を維持することができ、受信装置の受信性能特性を向上させることができる。
【００６４】
（第１の実施例の形態の変形例）
図９〜図１１を参照して、本発明に係る第１の実施の形態の変形例を説明する。図９にアンテナ切替制御回路１１７Ｂのブロック図、図１０にＡＧＣ電圧制御回路１１６Ｂのブロック図、図１１に第２のアンテナ制御処理及び第２のＡＧＣ制御処理の流れを示す。
【００６５】
本実施の形態の装置構成は、第１の実施の形態と同様に受信装置１Ａを用い、その異なる部分を主として説明する。
【００６６】
図９〜図１１を参照して本実施の形態における受信装置１Ａの動作を説明する。図９はアンテナ切替制御回路１１７Ａのブロック図である。同図に示すようにアンテナ切替制御回路１１７Ａは比較器１１７１Ａと、レジスタ１１７２Ａと、制御部１１７３Ａと、レジスタ１１７４Ａと、によって構成される。
【００６７】
制御部１１７３Ａは、比較器１１７１Ａから入力される信号Ｓ２及びアンテナデータに基づいて、アンテナ切替回路１１８及びＡＧＣ電圧制御回路１１６Ａへ信号Ｓ３及びＳ４をそれぞれ出力する。
【００６８】
レジスタ１１７４Ａは、アンテナ毎のアンテナデータが保存される。ここで、アンテナデータとはアンテナを識別するためのデータのことをいう。アンテナ切替制御回路１１７Ａにおけるその他の構成は第１の実施例と同様である。
【００６９】
本変形例ではアンテナを２系統（Ａアンテナ１２０Ａ、Ｂアンテナ１２０Ｂ）有し、アンテナデータとしてＡアンテナ１２０Ａは“０”、Ｂアンテナ１２０Ｂは“１”がレジスタ１１７４Ａに保存されるものとする。つまり、Ａアンテナ１２０Ａで信号を受信している場合、レジスタ１１７４Ａにアンテナデータ“０”が保存される。具体的な動作は後述する第２のアンテナ制御処理で説明する。
【００７０】
図１０はＡＧＣ電圧制御回路１１６Ａのブロック図である。同図に示すようにＡＧＣ電圧制御回路１１６Ａは制御部１１６１Ａと、レジスタ１１６２Ａによって構成される。レジスタ１１６２Ａにはアンテナ毎のＡＧＣ電圧の初期値１１６３Ａ，１１６４Ａが記憶される。ここで、アンテナ毎のＡＧＣ電圧の初期値とは、良好な受信を得ることができる値のことをいう。このアンテナ毎のＡＧＣ電圧の初期値はアンテナ毎に固有の値である。その他の構成は第１の実施例と同様である。
【００７１】
本変形例では、Ａアンテナ１２０Ａ、Ｂアンテナ１２０ＢのＡＧＣ電圧の初期値がレジスタ１１６２Ａに記憶されているものとする。具体的な動作は後述する第２のＡＧＣ制御処理で説明する。
【００７２】
次いで、図１１を参照して、アンテナ切替制御回路１１７Ａで実行される第２のアンテナ制御処理と、ＡＧＣ電圧制御回路１１６Ａで実行される第２のＡＧＣ電圧制御処理と、を説明する。第２のアンテナ制御処理は、アンテナ切替制御回路１１７ＡによりＡＧＣ電圧制御回路１１６Ａへアンテナデータを含むアンテナ切替情報を送信する処理である。また、第２のＡＧＣ電圧制御処理は、ＡＧＣ電圧制御回路１１６Ａによりアンテナデータを読み出して、アンテナデータに対応する初期値を読み出す処理である。
【００７３】
第２のアンテナ制御処理を説明する。先ず、処理開始時にレジスタ１１７４Ａにアンテナデータが保存される。（ステップＳ１５１）。例えば、処理開始時に信号をＡアンテナ１２０Ａで受信している場合、レジスタ１１７４ＡにはＡアンテナ１２０Ａのアンテナデータである“０”が保存される。
【００７４】
次いで、今回Ｃ／Ｎ値が、比較器１１７１Ａと制御部１１７３Ａに入力される（ステップＳ１５２）。そして、レジスタ１１７２Ａに保存されている前回Ｃ／Ｎ値が比較器１１７１Ａに入力される（ステップＳ１５３）。
【００７５】
次いで、比較器１１７１Ａにより今回Ｃ／Ｎ値が前回Ｃ／Ｎ値よりも悪化しているか否かが判断される（ステップＳ１５４）。そして、比較器１１７１Ａより信号Ｓ２が出力される。ここで、今回Ｃ／Ｎ値が前回Ｃ／Ｎ値よりも悪化している場合（ステップＳ１５４；ＹＥＳ）、比較器１１７１Ａにより信号Ｓ２として“１”が出力される。この場合、後述するステップＳ１５５へ移行される。また、今回Ｃ／Ｎ値が前回Ｃ／Ｎ値よりも悪化していない場合（ステップＳ１５４；ＮＯ）、比較器１１７１Ａにより信号Ｓ２として“０”が出力される。この場合、後述するステップＳ１５８へ移行される。
【００７６】
そして、比較器１１７１Ａにより制御部１１７３Ａに信号Ｓ２が出力される。信号Ｓ２が“１”の場合、アンテナ切替動作が行われる。即ち、アンテナデータは反転される（例えば“０”から“１”へと反転される）。そして、制御部１１７３Ａによりアンテナデータが信号Ｓ４ＡとしてＡＧＣ電圧制御回路１１６Ａへ送信される（ステップＳ１５５）。例えば、Ｂアンテナへの切替があった場合、Ｂアンテナのアンテナデータ“１”が信号Ｓ４ＡとしてＡＧＣ電圧制御回路１１６Ａへ送信される。
【００７７】
次いで、信号Ｓ２が“１”の場合、アンテナ切替のため制御部１１７３Ａより信号Ｓ３がアンテナ切替回路１１８へ送信される（ステップＳ１５６）。また、今回Ｃ／Ｎ値が前回Ｃ／Ｎ値よりも悪化していない場合、アンテナ切替回路１１８によるアンテナ切替は行われない。この場合、現在受信しているアンテナで受信が継続される。
【００７８】
次いで、アンテナ切替後のアンテナデータがレジスタ１１７４Ａに保存される（ステップＳ１５７）。例えば、Ｂアンテナへの切替があった場合、Ｂアンテナのアンテナデータ“１”がレジスタ１１７４Ａに保存される。
【００７９】
次いで、今回Ｃ／Ｎ値が制御部１１７３Ａによりレジスタ１１７２Ａへ保存される（ステップＳ１５８）。ステップＳ１５８の実行後、制御部１１７３Ａにより制御を終了するか否かが判断される（ステップＳ１５９）。制御が終了されない場合（ステップＳ１５９；ＮＯ）、ステップＳ１５２へ移行される。制御が終了される場合（ステップＳ１５９；ＹＥＳ）、第２のアンテナ制御処理は終了する。
【００８０】
次いで、ＡＧＣ電圧制御回路１１６Ａにおいて実行される第２のＡＧＣ制御処理を説明する。この処理はアンテナ切替時のみに行われる。通常時は、Ｃ／Ｎ値が読み取られる毎にＡＧＣ制御が行われる。
【００８１】
また、予め、図１０に示すＡＧＣ電圧制御回路１１６Ａのレジスタ１１６２Ａにアンテナデータに対応するＡＧＣ電圧の初期値１１６３Ａ，１１６４Ａが保存されているものとする。
【００８２】
先ず、アンテナ切替制御回路１１７Ａからアクセスがあるか否かが判断される（ステップＳ１６１）。即ち、受信された信号Ｓ４Ａのレベルが“Ｈ”であるか否かが判断される。信号Ｓ４Ａのレベルが“Ｈ”でない場合（ステップＳ１６１；ＮＯ）、ステップＳ１６１へ移行される。
【００８３】
信号Ｓ４Ａが“Ｈ”の場合（ステップＳ１６１；ＹＥＳ）、制御部１１６１Ａによりアンテナデータに対応するアンテナのＡＧＣ電圧の初期値が読み出される（ステップＳ１６２）。例えば、Ｂアンテナ１２０Ｂのアンテナデータを受信する場合、Ｂアンテナの初期値１１６４Ａが読み出される。そして、初期値１１６３Ａ，１１６４ＡのいずれかがＡＧＣ電圧として出力される（ステップＳ１６３）。例えば、制御部１１６１ＡによりＢアンテナのアンテナデータが受信された場合、Ｂアンテナの初期値１１６４ＡがＡＧＣ電圧として出力される。
【００８４】
ステップＳ１６３の実行後、制御部１１６１Ａにより制御を終了するか否かが判断される（ステップＳ１６４）。制御が終了されない場合（ステップＳ１６４；ＮＯ）、ステップＳ１６１へ移行される。制御が終了される場合（ステップＳ１６４；ＹＥＳ）、第２のＡＧＣ制御処理は終了する。
【００８５】
以上、本実施の形態によれば、アンテナ切替が発生した場合、ＡＧＣ電圧制御回路１１６Ａに記憶されているアンテナ毎のＡＧＣ電圧の初期値１１６３Ａ，１１６３Ｂに基づいて受信信号の増幅制御が行われる。したがって、ＡＧＣ電圧制御回路１１６Ａの最適状態への高速な移行が可能となり、これによりＣ／Ｎの悪化を防いで良好な受信を維持することができ、受信装置の受信性能特性を向上させることができる。
【００８６】
（第２の実施の形態）
図１２〜図１４を参照して、本発明に係る第２の実施の形態を説明する。図１２にアンテナ切替制御回路１１７Ｂのブロック図を示す。図１３にＡＧＣ電圧制御回路１１６Ｂのブロック図を示す。図１４に第３のアンテナ制御処理及び第３のＡＧＣ制御処理の流れを示す。
【００８７】
本実施の形態の装置構成は、第１の実施の形態と同様に受信装置１Ａを用い、その異なる部分を主として説明する。
【００８８】
図１２〜図１４を参照して本実施の形態における受信装置１Ａの動作を説明する。図１２はアンテナ切替制御回路１１７Ｂのブロック図である。同図に示すようにアンテナ切替制御回路１１７Ｂは、比較器１１７１Ｂと、レジスタ１１７２Ｂと、制御部１１７３Ｂと、レジスタ１１７４Ｂと、によって構成される。
【００８９】
制御部１１７３Ｂは、比較器１１７１Ｂから入力される信号Ｓ２及びアンテナデータに基づいてアンテナ切替回路１１８及びＡＧＣ電圧制御回路１１６Ｂへ信号Ｓ３及びＳ４をそれぞれ出力する。
【００９０】
レジスタ１１７４Ｂはアンテナ毎のアンテナデータが保存される。ここで、アンテナデータとはアンテナを識別するためのデータのことをいう。アンテナ切替制御回路１１７Ｂにおけるその他の構成は第１の実施例と同様である。
【００９１】
本実施例ではアンテナを２系統（Ａアンテナ１２０Ａ、Ｂアンテナ１２０Ｂ）有し、アンテナデータとしてＡアンテナ１２０Ａは“０”、Ｂアンテナ１２０Ｂは“１”がレジスタ１１７４Ｂに保存されるものとする。つまり、Ａアンテナ１２０Ａで信号を受信している場合、レジスタ１１７４Ｂにアンテナデータ“０”が保存される。具体的な動作は後述する第３のアンテナ制御処理で説明する。
【００９２】
図１３はＡＧＣ電圧制御回路１１６Ｂのブロック図である。同図に示すようにＡＧＣ電圧制御回路１１６Ｂは制御部１１６１Ｂと、レジスタ１１６２Ｂとによって構成される。
【００９３】
レジスタ１１６２ＢはＡアンテナ１２０Ａ，Ｂアンテナ１２０Ｂの直前のＡＧＣ電圧１１６３Ｂ，１１６４Ｂが記憶される。ここで、直前のＡＧＣ電圧とは、アンテナ切替前に使用していたＡＧＣ電圧のことをいう。例えば、Ａアンテナ１２０Ａで信号を受信していたがＣ／Ｎ値が悪化した為、Ｂアンテナ１２０Ｂへ切替動作があったとする。ここでＢアンテナ１２０ＢでもＣ／Ｎ値が悪化すると、再度Ａアンテナ１２０Ａへ切替動作が発生する。このとき、Ａアンテナ１２０Ａで前回受信していた際に使用していたＡＧＣ電圧を直前のＡＧＣ電圧という。また、直前のＡＧＣ電圧は一定時間毎に更新され、最新の状態を反映した値（最新値）が使用される。ＡＧＣ電圧制御回路１１６Ｂにおけるその他の構成は第１の実施例と同様である。
【００９４】
本実施例では、Ａアンテナ１２０Ａ、Ｂアンテナ１２０Ｂそれぞれのアンテナの直前のＡＧＣ電圧１１６３Ｂ，１１６４Ｂがレジスタ１１６２Ｂに記憶されているものとする。具体的な動作は後述する第２のＡＧＣ制御処理で説明する。
【００９５】
次いで、図１４を参照して、アンテナ切替制御回路１１７Ｂで実行される第３のアンテナ制御処理と、ＡＧＣ電圧制御回路１１６Ｂで実行される第３のＡＧＣ制御処理と、を説明する。第３のアンテナ制御処理は、アンテナ切替制御回路１１７ＢによりＡＧＣ電圧制御回路１１６Ｂへアンテナデータを含むアンテナ切替情報を送信する処理である。また、第３のＡＧＣ制御処理は、ＡＧＣ電圧制御回路１１６Ｂによりアンテナデータを読み出して、アンテナデータに対応する直前のＡＧＣ電圧を読み出す処理である。
【００９６】
第３のアンテナ制御処理を説明する。先ず、処理開始時にレジスタ１１７４Ｂにアンテナデータが保存される（ステップＳ２０１）。例えば、信号をＢアンテナ１２０Ｂで受信していた際にＣ／Ｎ値が悪化した場合、Ａアンテナ１２０Ａへ切替動作が発生する。この場合、処理開始時にレジスタ１１７４ＢにはＡアンテナのアンテナデータ“０”が保存される。
【００９７】
次いで、今回Ｃ／Ｎ値が、比較器１１７１Ｂと制御部１１７３Ｂに入力される（ステップＳ２０２）。そして、レジスタ１１７２Ｂに保存されている前回Ｃ／Ｎ値が比較器１１７１Ｂに入力される（ステップＳ２０３）。
【００９８】
次いで、比較器１１７１Ｂにより今回Ｃ／Ｎ値が前回Ｃ／Ｎ値よりも悪化しているか否かが判断される（ステップＳ２０４）。そして、比較器１１７１Ｂより信号Ｓ２が出力される。ここで、今回Ｃ／Ｎ値が前回Ｃ／Ｎ値よりも悪化している場合（ステップＳ２０４；ＹＥＳ）、比較器１１７１Ｂにより信号Ｓ２として“１”が出力される。この場合、後述するステップＳ２０５へ移行される。また、今回Ｃ／Ｎ値が前回Ｃ／Ｎ値よりも悪化していない場合（ステップＳ２０４；ＮＯ）、比較器１１７１Ｂにより信号Ｓ２として“０”が出力される。この場合、後述するステップＳ２０８へ移行される。
【００９９】
そして、比較器１１７１Ｂにより制御部１１７３Ｂに信号Ｓ２が出力される。信号Ｓ２が“１”の場合、アンテナ切替動作が行われる。即ち、アンテナデータは反転される（例えば“０”から“１”へと反転される）。そして、制御部１１７３Ｂによりアンテナデータが信号Ｓ４ＢとしてＡＧＣ電圧制御回路１１６Ｂへ送信される（ステップＳ２０５）。例えば、Ｂアンテナへの切替があった場合、Ｂアンテナのアンテナデータ“１”が信号Ｓ４ＢとしてＡＧＣ電圧制御回路１１６Ｂへ送信される。
【０１００】
次いで、信号Ｓ２が“１”の場合、アンテナ切替のため制御部１１７３Ｂより信号Ｓ３がアンテナ切替回路１１８へ送信される（ステップＳ２０６）。また、今回Ｃ／Ｎ値が前回Ｃ／Ｎ値よりも悪化していない場合、アンテナ切替回路１１８によるアンテナ切替は行われない。この場合、現在受信しているアンテナで受信が継続される。
【０１０１】
次いで、アンテナ切替後のアンテナデータがレジスタ１１７４Ｂに保存される（ステップＳ２０７）。例えば、Ｂアンテナへの切替があった場合、Ｂアンテナのアンテナデータ“１”がレジスタ１１７４Ｂに保存される。
【０１０２】
次いで、今回Ｃ／Ｎ値が制御部１１７３Ｂによりレジスタ１１７２Ｂへ保存される（ステップＳ２０８）。ステップＳ２０８の実行後、制御部１１７３Ｂにより制御を終了するか否かが判断される（ステップＳ２０９）。制御が終了されない場合（ステップＳ２０９；ＮＯ）、ステップＳ２０２へ移行される。制御が終了される場合（ステップＳ２０９；ＹＥＳ）、第３のアンテナ制御処理は終了する。
【０１０３】
次いで、ＡＧＣ電圧制御回路１１６Ｂにおいて実行される第３のＡＧＣ制御処理を説明する。この処理はアンテナ切替時のみに行われる。通常時は、Ｃ／Ｎ値が読み取られる毎にＡＧＣ制御が行われる。
【０１０４】
予め、図１３に示すＡＧＣ電圧制御回路１１６Ｂのレジスタ１１６２Ｂにアンテナ毎の直前のＡＧＣ電圧１１６３Ｂ，１１６４Ｂが保存されているものとする。ここで、アンテナ毎の直前のＡＧＣ電圧１１６３Ｂ，１１６４Ｂは一定時間毎に更新される。即ち、一定時間毎に制御部１１６１Ｂによりサンプリングされ、レジスタ１１６２Ｂに保存される。
【０１０５】
先ず、制御部１１６１Ｂにより一定時間経過したか否かが判別される（ステップＳ２１１）。一定時間経過していない場合（ステップＳ２１１；ＮＯ）、後述するステップＳ２１３へ移行される。
【０１０６】
一定時間経過した場合（ステップＳ２１１；ＹＥＳ）、制御部１１６１ＢによりＡＧＣ電圧がサンプリングされ、レジスタ１１６２Ｂに保存される（ステップＳ２１２）。
【０１０７】
次いで、アンテナ切替制御回路１１７Ｂからアクセスがあるか否かが判別される（ステップＳ２１３）。即ち、受信された信号Ｓ４Ｂのレベルが“Ｈ”であるか否かが判断される。信号Ｓ４Ｂのレベルが“Ｈ”でない場合（ステップＳ２１３；ＮＯ）、ステップＳ２１１へ移行される。
【０１０８】
信号Ｓ４Ｂが“Ｈ”の場合（ステップＳ２１３；ＹＥＳ）、制御部１１６１Ｂによりアンテナデータに対応するアンテナの直前のＡＧＣ電圧が読み出される。（ステップＳ２１４）。例えば、Ｂアンテナ１２０Ｂのアンテナデータを受信する場合、Ｂアンテナの直前のＡＧＣ電圧１１６４Ｂが読み出される。そして、直前のＡＧＣ電圧１１６３Ａ，１１６３ＢのいずれかがＡＧＣ電圧として出力される（ステップＳ２１５）。例えば、制御部１１６１ＢによりＢアンテナのアンテナデータが受信された場合、Ｂアンテナの直前のＡＧＣ電圧１１６３ＢがＡＧＣ電圧として出力される。
【０１０９】
ステップＳ２１５の実行後、制御部１１６１Ｂにより制御を終了するか否かが判断される（ステップＳ２１６）。制御が終了されない場合（ステップＳ２１６；ＮＯ）、ステップＳ２１１へ移行される。制御が終了される場合（ステップＳ２１６；ＹＥＳ）、第３のＡＧＣ制御処理は終了する。
【０１１０】
なお、本実施の形態では、アンテナ毎の直前のＡＧＣ電圧を読み出すこととしたが、アンテナ切替の間隔が長期間になった場合は、直前のＡＧＣ電圧を読み出すのではなく、アンテナ毎の初期値又はアンテナに共通の初期値を読み出す構成としてもよい。
【０１１１】
以上、本実施の形態によれば、アンテナ切替が発生した場合、ＡＧＣ電圧制御回路１１６Ｂに記憶されている前回増幅度を増減制御するために使用した直前のＡＧＣ電圧１１６３Ａ，１１６３Ｂに基づいて受信信号の増幅度の増減制御が行われる。これによりＣ／Ｎの悪化を防いで良好な受信を維持することができ、受信装置の受信性能特性を向上させることができる。
【０１１２】
また、図１５に示すように、ＡＧＣ電圧制御回路１１６は、ＩＦ−ＡＧＣ回路１０６に対するＡＧＣ電圧の増減値を決定して、ＩＦ−ＡＧＣ１０２回路のＡＧＣ電圧のみを出力し、ＲＦ−ＡＧＣ回路１０２は、ＡＧＣ電圧制御回路１２１によって制御されることとしても良い。この場合、図１５に示すチューナー部１０、復調回路部１１の他の要素は図１と同じに構成され、例えば、半導体集積回路で形成される。
【０１１３】
また、外部アンテナ１２０は１２０Ａ，１２０Ｂと２系統有するものとして説明したが、３以上の複数のアンテナを有し、いずれか一つのアンテナを選択する構成としても良い。
【０１１４】
また、図１６に示すように、受信品位に基づき受信アンテナを切替える構成に代えて、受信品位に基づいて可変特性アンテナ１３０の受信特性を切替える構成としても良い。図１７は２つの受信用アンテナを備える可変特性アンテナ１３０の構成を示す図である。同図によれば、可変特性アンテナ１３０は、アンテナ１３０Ａと、補助アンテナ１３０Ｂと、インダクタ１３１と、バリキャップ１３２とによって構成される。
【０１１５】
図１６の構成では、補助アンテナ１３０Ｂに印加する電圧を切替えることにより、補助アンテナ１３０Ｂの周囲に発生する電界を変化させ、アンテナ１３０Ａの受信特性を変化させることができる。
【０１１６】
その他、上記実施の形態における受信装置１００の細部構成及び詳細動作に関しても、本発明の趣旨を逸脱しない範囲で適宜変更可能である。
【図面の簡単な説明】
【０１１７】
【図１】本発明に係る地上波デジタルテレビ放送受信装置の回路構成を示すブロック図である。
【図２】ＯＦＤＭシンボル内のＳＰ信号の配置パターンの一例を示す図である。
【図３】ＢＰＳＫ信号の信号点配置の変化を示す図である。
【図４】ＱＰＳＫ方式の場合のデータ信号の信号点配置を示す図である。
【図５】第１の実施の形態のアンテナ切替制御回路の構成を示すブロック図である。
【図６】第１の実施の形態のＡＧＣ電圧制御回路の構成を示すブロック図である。
【図７】受信品位の値の変化を示すグラフである。
【図８】第１の実施の形態の第１のアンテナ制御処理及び第１のＡＧＣ制御処理を示すフローチャートである。
【図９】第１の実施の形態の変形例のアンテナ切替制御回路の構成を示すブロック図である。
【図１０】第１の実施の形態の変形例のＡＧＣ電圧制御回路の構成を示すブロック図である。
【図１１】第１の実施の形態の変形例の第２のアンテナ制御処理及び第２のＡＧＣ制御処理を示すフローチャートである。
【図１２】第２の実施の形態のアンテナ切替制御回路の構成を示すブロック図である。
【図１３】第２の実施の形態のＡＧＣ電圧制御回路の構成を示すブロック図である。
【図１４】第２の実施の形態の第３のアンテナ制御処理及び第３のＡＧＣ制御処理を示すフローチャートである。
【図１５】本発明に係る地上波デジタルテレビ放送受信装置の変形例としての回路構成を示すブロック図である。
【図１６】可変特性アンテナの構成を示す図である。
【符号の説明】
【０１１８】
１Ａ      受信装置
１０      チューナー部
１１      復調回路部
１００    受信回路
１０１    ＬＮＡ
１０２    ＲＦ−ＡＧＣ回路
１０３    ＲＦ−ＢＰＦ回路
１０４    ＲＦミキサ
１０５    ＩＦ−ＢＰＦ回路
１０６    ＩＦ−ＡＧＣ回路
１０７    ＩＦミキサ
１０８    ＬＰＦ
１０９    ＡＤＣ
１１０    ＦＦＴ
１１１    伝送路等価部
１１２    復調部
１１３    誤り訂正部
１１４    受信品位検出回路
１１５    ＡＧＣ電圧計算部
１１６，１１６Ａ，１１６Ｂ    ＡＧＣ電圧制御回路
１１７，１１７Ａ，１１７Ｂ    アンテナ切替制御回路
１１８    アンテナ切替回路
１１９Ａ  アンテナ接続端子
１１９Ｂ  アンテナ接続端子
１２０    外部アンテナ
１２０Ａ  Ａアンテナ
１２０Ｂ  Ｂアンテナ
１２１    ＡＧＣ電圧制御回路
１３０    可変特性アンテナ
１３０Ａ  アンテナ
１３０Ｂ  補助アンテナ
１３１    インダクタ
１３２    バリキャップ
１１６１，１１６１Ａ，１１６１Ｂ  制御部
１１６２，１１６２Ａ，１１６２Ｂ  レジスタ
１１６３  初期値
１１６３Ａ  Ａアンテナの初期値
１１６３Ｂ  Ａアンテナの直前のＡＧＣ電圧
１１６４Ａ  Ｂアンテナの初期値
１１６４Ｂ  Ｂアンテナの直前のＡＧＣ電圧
１１７１，１１７１Ａ，１１７１Ｂ  比較器
１１７２，１１７２Ａ，１１７２Ｂ  レジスタ
１１７３，１１７３Ａ，１１７３Ｂ  制御部
１１７４Ａ，１１７４Ｂ  レジスタ
【図１】
2007189629.tif 000006
【図２】
2007189629.tif 000007
【図３】
2007189629.tif 000008
【図４】
2007189629.tif 000009
【図５】
2007189629.tif 000010
【図６】
2007189629.tif 000011
【図７】
2007189629.tif 000012
【図８】
2007189629.tif 000013
【図９】
2007189629.tif 000014
【図１０】
2007189629.tif 000015
【図１１】
2007189629.tif 000016
【図１２】
2007189629.tif 000017
【図１３】
2007189629.tif 000018
【図１４】
2007189629.tif 000019
【図１５】
2007189629.tif 000020
【図１６】
2007189629.tif 000021